(57)【特許請求の範囲】
【請求項１】
ほぼＬ字状の受台本体（１）の両辺部（１ａ）および（１ｂ）にそれぞれハンドスキャナ（Ａ）におけるネック部（Ｂ）の受け入れに適応する切欠部（２）を形成すると共に、この切欠部（２）の両側にハンドスキャナ（Ａ）における頭部（Ｃ）の掛止めに適応する支承腕（３），（３）を形成し、かつ一側の辺体（１ｂ）における両支承腕（３）の先端付近には脱落防止用の弾性凸片（４）をそれら両弾性凸片（４）の先端間の間隙が前記ネック部（Ｂ）の幅よりも僅かに狭小となるように互いに対向する状態に設けたタッチ型ハンドスキャナ用置掛け兼用受台。
【請求項２】
ゴム製の弾性凸片（４）を採択した請求項１に記載のタッチ型ハンドスキャナ用置掛け兼用受台。
【発明の詳細な説明】
【０００１】
【発明の属する技術分野】
本発明は、ＰＯＳシステム等において使用されるバーコードリーダまたはＯＣＲ（光学式文字読取り装置）等のタッチ型ハンドスキャナを不使用時に待機状態に保持するための受台であって、卓上載置型と壁掛け型とに選択的に使用することができる置掛け兼用の受台に関するものである。
【０００２】
【従来の技術】
従来のこの種の置掛け兼用の受台は、図４および図５に例示するように、基部から鋭角に突出する両辺部１ａ，１ｂがほぼＬ字状を呈する受台本体１の一側辺部１ａを基台部に充当するほか他側辺部１ｂを支持部に充当し、支持部にはタッチ型ハンドスキャナＡにおけるネック部Ｂの受け入れに適応する切欠部２を形成することにより、切欠部２の両側にハンドスキャナＡにおける頭部Ｃの掛止めに適応する支承腕３，３を形成し、もって卓上に載置する場合には、図４のように基台部において卓上に載置した状態のもとに、ハンドスキャナＡをそのネック部Ｂが切欠部２に挿入されるように載架し、また壁掛けとして使用する場合は、図５のように基台部において壁面Ｗに固定した状態のもとに、ハンドスキャナＡのネック部Ｂを切欠部２に挿入して頭部Ｃが支承腕３に掛止められるようにハンドスキャナＡを懸吊状態に載架している。
【０００３】
【発明が解決しようとする課題】
上記従来技術においては、壁掛け型として使用する場合において、ハンドスキャナＡが外方に外れ易く、外れて落下した場合には破損するという欠点があり、これがため両支承腕３の先端付近に内向きの脱落防止用弾性凸片をそれら両弾性凸片の先端間がネック部Ｂの幅よりも僅かに狭小となるように互いに対向する状態に設けることが考えられるが、このような弾性凸片を付設すると、卓上型として使用する場合にハンドスキャナＡの着脱時の操作性が低下する関係上、受台自体を卓上に固定しなければならない不利がある等、要するに、壁掛け型として使用する場合の脱落防止機能と、卓上型として使用する場合の着脱操作性の確保とを、同時に満足させることが困難であった。
【０００４】
そこで本発明の目的は、著しく簡単な構成のもとに、壁掛け型として使用する場合の脱落防止機能と、卓上型として使用する場合の着脱操作性の確保とを、同時に満足させることができるタッチ型ハンドスキャナ用置掛け兼用受台を提供することにある。
【０００５】
【課題を解決するための手段】
本発明は上記目的を達成するため、ほぼＬ字状の受台本体１の両辺部１ａおよび１ｂにハンドスキャナＡにおけるネック部Ｂの受け入れに適応する切欠部２を形成すると共に、この切欠部２の両側にハンドスキャナＡにおける頭部Ｃの掛止めに適応する支承腕３，３を形成し、かつ一側の辺部１ｂにおける両支承腕３の先端付近に内向きの脱落防止用弾性凸片４をそれらの先端間がネック部Ｂの幅よりも僅かに狭小となる状態に設ける。
【０００６】
卓上に載置する場合には、弾性凸片４を欠如した側の辺部１ａを支持部としてこれが上方へ突出するように卓上に載置し、辺部１ａにおける切欠部２にネック部Ｂを挿入することにより、ハンドスキャナＡは卓上に安定的に載架され、また壁掛けとして使用する場合には、弾性凸片４がある側の辺部１ｂを支持部に充当して、辺部１ｂが前方へ突出するように壁面に固定した状態のもとに、辺部１ｂにおける切欠部２にネック部Ｂを挿入し、頭部Ｃは支承腕３に掛止められたまま弾性凸片４による脱落防止作用によりハンドスキャナＡは懸吊状態に安定的に載架される。
【０００７】
【発明の実施の形態】
以下、本発明のハンドスキャナ用置掛け兼用受台を図示の実施形態について詳細に説明する。
【０００８】
例えば図１のように、ほぼＬ字状の受台本体１の両辺部１ａおよび１ｂにそれぞれハンドスキャナＡにおけるネック部Ｂの受け入れに適応する切欠部２を形成してハンドスキャナＡにおける頭部Ｃの掛止めに適応する支承腕３，３を形成し、かつ一側の辺部１ｂにおける両支承腕３の先端付近の内方に脱落防止用の弾性凸片４をそれら両弾性凸片４の先端間がネック部Ｂの幅よりも僅かに狭小となるように互いに対向する状態に設ける。
【０００９】
上記構成のもとに、卓上に載置する場合には、図１のように弾性凸片４を有する側の辺部１ｂを基台部に充当すると共に、他側の辺部１ａを支持部に充当し、この支持部としての辺部１ａが上方へ突出するように卓上に載置した状態のもとに、辺部１ａにおける切欠部２にハンドスキャナＡのネック部Ｂが挿入されるように載架し、また壁掛けとして使用する場合には、図２のように弾性凸片４を有する側の辺部１ｂを支持部に充当し、他側の辺部１ａを基台部としてこれを取付ねじ等の適宜固定手段Ｄのもとに壁面Ｗに固定した状態のもとに、辺部１ｂにおける切欠部２にハンドスキャナＡのネック部Ｂが挿入されて頭部Ｃが支承腕３に掛止められるようにハンドスキャナＡを懸吊状態に載架し、なおハンドスキャナＡは壁掛け状態において、そのネック部Ｂは両支承腕３における弾性凸片４により弾性的に脱出が阻止されて脱落が防止されるほか、ハンドスキャナＡの着脱時には弾性凸片４はネック部Ｂにより押圧されて両弾性凸片４間は拡開され、ハンドスキャナＡのネック部Ｂは容易に通過する。
【００１０】
弾性凸片４の構成については、図３（ａ）のように弾性ゴム片を貼着し、あるいは図３（ｂ）のようにゴム片を嵌着し、あるいは図３（ｃ）のように支承腕３の成型と同時に弾性腕を成形してその弾性腕の先端に突起を設けるようにしてもよい。
【００１１】
【発明の効果】
以上説明したように、本発明によれば、ほぼＬ字状の受台本体１の辺部１ａおよび１ｂの両者に、ネック部Ｂの受け入れに適応する切欠部２を形成するほか、頭部Ｃの掛止めに適応する支承腕３，３を形成し、かつ一側の辺部１ｂにおける両支承腕３の先端付近の内方に脱落防止用の弾性凸片４を設けたから、これにより弾性凸片４の不必要な卓上型として使用する場合は弾性凸片４を欠如した辺部１ａ側を支承部に充当し、また壁掛け型として使用する場合は弾性凸片４を設けた辺部１ｂ側を支承部に充当する等、弾性凸片４の要否を選択して使用することができ、従って、著しく簡単な構成のもとに、壁掛け型として使用する場合の脱落防止機能と、卓上型として使用する場合の着脱操作性の確保とを、同時に満足させることができる効果があり、なおゴム製の弾性凸片４を採択した場合には、着脱時の摺擦によるハンドスキャナＡの損傷を防止することができる。
【図面の簡単な説明】
【図１】本発明受台の卓上型としての使用状態を示す斜面図である。
【図２】図１の受台を壁掛け型として使用する状態の側面図である。
【図３】弾性凸片付近の縦断正面図である。
【図４】従来の受台の卓上型としての使用状態を示す斜面図である。
【図５】図４の従来の受台を壁掛け型として使用する状態の側面図である。
【符号の説明】
１  受台本体
１ａ  辺部
１ｂ  辺部
２  切欠部
３  支承腕
４  弾性凸片
Ａ  ハンドスキャナ
Ｂ  ネック部
Ｃ  頭部
【図１】
0003883254.tif 000002
【図２】
0003883254.tif 000003
【図３】
0003883254.tif 000004
【図４】
0003883254.tif 000005
【図５】
0003883254.tif 000006